(57)【要約】【課題】遊技者が不正行為により可変入賞部品の開閉体を開放して賞球を得ようとする行為を防止できるパチンコ機を得る。【解決手段】発射機構から遊技領域に発射された球の始動入賞部品への入賞により可変入賞部品の開閉体の開閉処理を行い、この開閉処理における開閉体の開放中に球が可変入賞部品へ入賞すると球払出機構を払出駆動する制御装置を備えたパチンコ機において、制御装置による可変入賞部品の開閉体の開閉処理が行われていない場合に可変入賞部品への球の入賞があれば（ステップ２０５）球払出機構の払出駆動を停止する不正対策処理（ステップ２０６）を行う不正処理部を備えた。【選択図】　　　　図４
2004105709.tif 000002
【特許請求の範囲】
【請求項１】
発射機構から遊技領域に発射された球の始動入賞部品への入賞により可変入賞部品の開閉体の開閉処理を行い、この開閉処理における開閉体の開放中に球が可変入賞部品へ入賞すると球払出機構を払出駆動する制御装置を備えたパチンコ機において、制御装置による可変入賞部品の開閉体の開閉処理が行われていない場合に可変入賞部品への球の入賞があれば球払出機構の払出駆動を停止する不正対策処理を行う不正処理部を備えたことを特徴とするパチンコ機。
【請求項２】
発射機構から遊技領域に発射された球の始動入賞部品への入賞により可変入賞部品の開閉体の開閉処理を行い、この開閉処理における開閉体の開放中に球が可変入賞部品へ入賞すると球払出機構を払出駆動する制御装置を備えたパチンコ機において、制御装置による可変入賞部品の開閉体の開閉処理が行われていない場合に可変入賞部品への球の入賞があれば球払出機構の払出駆動を停止するとともに不正である旨を報知手段により店に報知する不正対策処理を行う不正処理部を備えたことを特徴とするパチンコ機。
【請求項３】
発射機構から遊技領域に発射された球の始動入賞部品への入賞により可変入賞部品の開閉体の開閉処理を行い、この開閉処理における開閉体の開放中に球が可変入賞部品へ入賞すると球払出機構を払出駆動する制御装置を備えたパチンコ機において、制御装置による可変入賞部品の開閉体の開閉処理が行われていない場合に可変入賞部品への球の入賞があれば球払出機構の払出駆動を停止するとともに発射機構の発射駆動を停止する不正対策処理を行う不正処理部を備えたことを特徴とするパチンコ機。
【請求項４】
図柄表示器を備え、制御装置による可変入賞部品の開閉体の開閉処理は、制御装置が始動入賞部品への球の入賞を検出してから当たり外れ抽選を行うとともに図柄表示器の図柄を変動させ、抽選で当たりの場合に当たり図柄が図柄表示器により停止表示されたことを検出して可変入賞部品の開閉体の開閉を行う当たり遊技を終了するまでの処理であることを特徴とする請求項１ないし請求項３のいずれかに記載のパチンコ機。
【請求項５】
制御装置による可変入賞部品の開閉体の開閉処理は、制御装置が始動入賞部品への球の入賞を検出して可変入賞部品の開閉体の開閉を行う当たり遊技を終了するまでの処理であることを特徴とする請求項１ないし請求項３のいずれかに記載のパチンコ機。
【請求項６】
制御装置による可変入賞部品の開閉体の開閉処理は、制御装置が始動入賞部品への球の入賞を検出してから当たり外れ抽選を行って抽選で当たりの場合に可変入賞部品の開閉体の開閉を行う当たり遊技を終了するまでの処理であることを特徴とする請求項１ないし請求項３のいずれかに記載のパチンコ機。
【請求項７】
不正処理部は、始動入賞部品への球の入賞がない場合に制御装置が開閉処理を行っていないと判断して不正対策処理を実行することを特徴とする請求項４ないし請求項６のいずれかに記載のパチンコ機。
【請求項８】
不正処理部は、制御装置が始動入賞部品への球の入賞を検出してから所定時間経過した場合に制御装置が開閉処理を行っていないと判断して不正対策処理を実行することを特徴とする請求項４ないし請求項６のいずれかに記載のパチンコ機。
【請求項９】
不正処理部は、制御装置が始動入賞部品への球の入賞を検出してから当たり外れ抽選での当たりを検出する前に可変入賞部品への球の入賞を検出した場合に制御装置が開閉処理を行っていないと判断して不正対策処理を実行することを特徴とする請求項４又は請求項６に記載のパチンコ機。
【請求項１０】
不正処理部は、制御装置が図柄表示器による当たり図柄の停止表示を検出する前に可変入賞部品への球の入賞を検出した場合に制御装置が開閉処理を行っていないと判断して不正対策処理を実行することを特徴とする請求項４に記載のパチンコ機。
【請求項１１】
可変入賞部品を複数備え、制御装置が複数の可変入賞部品の開閉体の開閉処理を行うことを特徴とする請求項１ないし請求項１０のいずれかに記載のパチンコ機。
【発明の詳細な説明】
【０００１】
【発明の属する技術分野】
本発明は可変入賞部品に対する不正を防止する機能を備えたパチンコ機に関する。
【０００２】
【従来の技術】
従来のパチンコ機には、球が図柄始動入賞口に入賞すると、制御装置が抽選処理を実行するとともに、図柄表示器が図柄変動を開始し、その後、図柄表示器が抽選処理結果を反映させて図柄変動を停止し、その停止により図柄表示器で確定された図柄が当たり図柄になると、権利発生用の特別入賞装置の入賞口が開放され、その開放中に球が特別入賞装置の回転体の周縁部に形成された凹部に取り込まれ、その球が回転体の回転に伴い特別入賞装置の特別入賞領域に導かれると、制御装置が権利発生を設定し、その権利発生中に球が権利始動入賞口に入賞すると、アタッカと呼ばれる可変入賞部品の開閉体が開放される当たり遊技を行うものが知られている。そして、この従来のパチンコ機では、遊技者の不正行為を防止するために、図柄表示器が当たり図柄で確定しておらず、制御装置内に抽選結果の当たりを示す当たりフラグが設定されていなければ、例えば、遊技者が特別入賞装置の特別入賞領域に球を入れたとしても、制御装置が可変入賞部品の開閉体を開くための権利発生を設定しないようになっている（例えば、特許文献１参照）。
【０００３】
【特許文献１】
特開２０００−３３１６９号公報
【０００４】
【発明が解決しようとする課題】
しかしながら、上記パチンコ機は、遊技者の特別入賞装置の特別入賞領域への球の入れ込みで、制御装置内の権利発生の設定をしない構造であるため、遊技者が可変入賞部品の開閉体を不正に開いて球を入れた場合、パチンコ機の裏側から遊技者の側の皿に賞球としての球が払い出されることになり、遊技者が可変入賞部品の開閉体を操作して不正に球を獲得する行為を防止することができないという課題がある。
本発明は、遊技者が不正行為により可変入賞部品の開閉体を開放して賞球を得ようとする行為を防止できるパチンコ機を得ることを目的とする。
【０００５】
【課題を解決するための手段】
請求項１に係るパチンコ機では、発射機構から遊技領域に発射された球の始動入賞部品への入賞により可変入賞部品の開閉体の開閉処理を行い、この開閉処理における開閉体の開放中に球が可変入賞部品へ入賞すると球払出機構を払出駆動する制御装置を備えたパチンコ機において、制御装置による可変入賞部品の開閉体の開閉処理が行われていない場合に可変入賞部品への球の入賞があれば球払出機構の払出駆動を停止する不正対策処理を行う不正処理部を備えたので、遊技者が不正行為により可変入賞部品の開閉体を開放して賞球を得ようとする行為を防止できる。
請求項２のパチンコ機では、発射機構から遊技領域に発射された球の始動入賞部品への入賞により可変入賞部品の開閉体の開閉処理を行い、この開閉処理における開閉体の開放中に球が可変入賞部品へ入賞すると球払出機構を払出駆動する制御装置を備えたパチンコ機において、制御装置による可変入賞部品の開閉体の開閉処理が行われていない場合に可変入賞部品への球の入賞があれば球払出機構の払出駆動を停止するとともに不正である旨を報知手段により店に報知する不正対策処理を行う不正処理部を備えたので、請求項１の効果に加え、不正があったことを店に知らせることができる。
請求項３のパチンコ機では、発射機構から遊技領域に発射された球の始動入賞部品への入賞により可変入賞部品の開閉体の開閉処理を行い、この開閉処理における開閉体の開放中に球が可変入賞部品へ入賞すると球払出機構を払出駆動する制御装置を備えたパチンコ機において、制御装置による可変入賞部品の開閉体の開閉処理が行われていない場合に可変入賞部品への球の入賞があれば球払出機構の払出駆動を停止するとともに発射機構の発射駆動を停止する不正対策処理を行う不正処理部を備えたので、請求項１の効果に加え、不正を行った遊技者の遊技を停止できる。
請求項４のパチンコ機では、図柄表示器を備え、制御装置による可変入賞部品の開閉体の開閉処理は、制御装置が始動入賞部品への球の入賞を検出してから当たり外れ抽選を行うとともに図柄表示器の図柄を変動させ、抽選で当たりの場合に当たり図柄が図柄表示器により停止表示されたことを検出して可変入賞部品の開閉体の開閉を行う当たり遊技を終了するまでの処理としたので、図柄表示器を備えた抽選機能付きのパチンコ機において当たり遊技による開閉処理が行われていない場合の不正な可変入賞に対して不正対策処理を行うことができる。
請求項５のパチンコ機では、制御装置による可変入賞部品の開閉体の開閉処理は、制御装置が始動入賞部品への球の入賞を検出して可変入賞部品の開閉体の開閉を行う当たり遊技を終了するまでの処理としたので、例えば、いわゆる羽根物，飛行機，チューリップタイプ等と称される可変入賞部品を備えたパチンコ機において当たり遊技による開閉処理が行われていない場合の不正な可変入賞に対して不正対策処理を行うことができる。
請求項６のパチンコ機では、制御装置による可変入賞部品の開閉体の開閉処理は、制御装置が始動入賞部品への球の入賞を検出してから当たり外れ抽選を行って抽選で当たりの場合に可変入賞部品の開閉体の開閉を行う当たり遊技を終了するまでの処理としたので、例えば、いわゆる羽根物，飛行機，チューリップタイプ等と称される可変入賞部品を備えかつ抽選機能付きのパチンコ機において当たり遊技による開閉処理が行われていない場合の不正な可変入賞に対して不正対策処理を行うことができる。
請求項７のパチンコ機では、不正処理部は、始動入賞部品への球の入賞がない場合に制御装置が開閉処理を行っていないと判断して不正対策処理を実行するので、始動入賞がない場合の不正な可変入賞に対して不正対策処理を行うことができる。
請求項８のパチンコ機では、不正処理部は、制御装置が始動入賞部品への球の入賞を検出してから所定時間経過した場合に制御装置が開閉処理を行っていないと判断して不正対策処理を実行するので、始動入賞が検出されてから所定時間経過後の不正な可変入賞に対して不正対策処理を行うことができる。
請求項９のパチンコ機では、不正処理部は、制御装置が始動入賞部品への球の入賞を検出してから当たり外れ抽選での当たりを検出する前に可変入賞部品への球の入賞を検出した場合に制御装置が開閉処理を行っていないと判断して不正対策処理を実行するので、当たり外れ抽選での当たりが検出されていない場合の不正な可変入賞に対して不正対策処理を行うことができる。
請求項１０のパチンコ機では、不正処理部は、制御装置が図柄表示器による当たり図柄の停止表示を検出する前に可変入賞部品への球の入賞を検出した場合に制御装置が開閉処理を行っていないと判断して不正対策処理を実行するので、抽選での当たりの後に当たり図柄の停止表示がなされるまでの間に行われる不正な可変入賞に対して不正対策処理を行うことができる。
請求項１１のパチンコ機では、可変入賞部品を複数備え、制御装置が複数の可変入賞部品の開閉体の開閉処理を行うので、複数の可変入賞部品に対する不正な入賞に対して不正対策処理を行うことができる。
【０００６】
【発明の実施の形態】
実施形態１
図１はパチンコ機の正面図、図２はパチンコ機の制御ブロック図、図３はパチンコ機の制御の流れを示す図、図４は不正処理部による不正検出プログラムルーチンを示す図である。
図１において、パチンコ機１は遊技機枠２に遊技部品が搭載されて構成される。遊技機枠２は固定枠３と固定枠３に対して上下ヒンジ４，５を介して片開き可能に取付けられた開閉枠６とで構成される。開閉枠６の上部には図外のヒンジを介してパネル枠８が取付けられ、開閉枠６の中部には図外のヒンジを介して上皿９が片開き可能に取付けられ、開閉枠６の下部には下皿１０が取付けられている。開閉枠６の上部裏側には図外の裏機構板が設けられ、この裏機構板と開閉枠６とで形成された遊技盤収納空間に遊技盤１１が取付けられる。遊技盤１１の盤面１２のガイドレール１３で囲まれた内側には始動入賞部品１４と可変入賞部品１５とセンター部品１６とを備える。遊技盤１１の裏側には図柄表示器１７が設けられ、この図柄表示器１７の図柄表示面１８がセンター部品１６の透視性パネル１９で覆われ、この透視性パネル１９を介して遊技者は図柄を見ることができる。遊技盤１１の盤面１２の前側にはパネル枠８に取付けられた透視性パネル２０が配置され、遊技盤１１の盤面１２とガイドレール１３と透視性パネル２０とで囲まれた空間により遊技球が飛び交う遊技領域２１が形成される。ガイドレール１３により形成された球投入路２２に球を発射する発射機構２３が遊技盤１１の下方において開閉枠６に設けられ、下皿１０に回転操作ハンドルなどの発射操作機構２４が取付けられている。また、遊技盤１１の裏側または遊技機枠２の裏側には各制御部及びその他の遊技部品が取付けられている。
図柄表示器１７は液晶表示器のように電気的に表示形態の変えられる画像を表示画面に表示する表示装置である。可変入賞部品１５は前後方向に開閉する開閉体２６を有するアタッカや大入賞口と呼ばれるような形態である。２７は始動入賞部品１４に入賞した球を検出する始動入賞球検出器、２８は可変入賞部品１５に入賞した球を検出する可変入賞球検出器であって、２８ａは可変入賞部品１５の特定入賞部１５Ｘ（Ｖゾーン入賞部と言われる場合が多い）に入賞した球を検出する特定入賞球検出器、２８ｂ，２８ｂは可変入賞部品１５の普通入賞部１５Ｙ（テンカウント入賞部と言われる場合が多い）に入賞した球を検出する普通入賞球検出器である。
図２のように、パチンコ機１は、主制御部３０、球払出制御部３１、発射制御部３２、図柄制御部３３などの各制御部を備え、各制御部はマイクロコンピュータとマイクロコンピュータを動作するＲＯＭに格納されたプログラムとで具現化される。主制御部３０は、入賞検出部４１、当たり外れ抽選を行う抽選部４２、賞球準備確認部４３、遊技状態判定部４４、賞球許可信号／賞球停止信号出力部４５、発射許可信号／発射停止信号出力部４６、可変入賞部品開閉制御処理部６０、不正処理部６１、タイマ群６２、カウンタ６３等を備える。抽選部４２は当たり外れ知識４２ａを備え、当たり外れ知識４２ａは、乱数値と当たり及び外れとの関係を規定したテーブルまたはマップのような情報である。遊技状態判定部４４は、図柄変動識別部４７と、抽選当たり識別部４８と、抽選結果情報格納部４９と、所定時間経過識別部７０とを備え、図柄表示器１７の図柄変動中は図柄変動識別部４７に図柄変動中フラグが設定され、抽選部４２による抽選結果が当たりの場合は抽選当たり識別部４８に当たりフラグが設定され、抽選結果情報格納部４９には抽選結果が記録される。球払出機構５０は払出球数検出センサ（球検出器）５１と球確認センサ（球検出器）５２を備える。賞球許可信号／賞球停止信号出力部４５は一の出力ポートで構成され、発射許可信号／発射停止信号出力部４６も一の出力ポートで構成される。
【０００７】
上皿９に球が入れられ、遊技者が発射操作機構２４を操作すると、発射制御部３２が発射操作機構２４による操作量に応じた発射力で発射機構２３を発射駆動させる。これにより、発射機構２３が上皿９から供給された球を所定の時間間隔で１個ずつ遊技領域に向けて発射する。尚、球払出機構５０の球確認センサ５２からは球払出機構５０に所定数（例えば数回分の入賞に対して払出す球数）の球があるかを検出する検出信号５２ａが主制御部３０の賞球準備確認部４３に出力されており、この検出信号５２ａが賞球準備確認部４３に入力されていれば、賞球準備確認部４３が発射許可信号／発射停止信号出力部４６を介して発射制御部３２に発射許可信号４６ａを出力し、これにより上述のように球の発射が可能となる。球確認センサ５２からの検出信号５２ａが出力されておらず賞球準備確認部４３に入力されていない場合には、賞球準備確認部４３が発射許可信号／発射停止信号出力部４６を介して発射制御部３２に発射停止信号４６ｂを出力し、この発射停止信号４６ｂを入力した発射制御部３２が発射機構２３の発射駆動を停止する。これにより、遊技者が発射操作機構２４を操作しても球は発射されない。また、払出球数検出センサ５１は球払出制御部３１に払出球検出信号５１ａを出力し、球払出制御部３１は払出球検出信号５１ａをカウントして決められた数の球払出しが行われたことを確認して球払出機構５０の払出駆動を停止させる。
遊技領域２１に発射された球が始動入賞部品１４に入賞すると、始動入賞球検出器２７からの始動入賞検出信号２７ａが入賞検出部４１に出力される。遊技領域２１には始動入賞部品１４や可変入賞部品１５以外の図示を省略した入賞部品も設けられており、遊技領域２１に発射された球が図外の入賞部品に入賞した場合には、その入賞部品に入賞した球を検出した図外の球検出器が入賞信号を入賞検出部４１に出力する。入賞検出部４１は入賞信号がマイクロコンピュータに入力された入力ポートの位置の違いで、どの入賞部品に対応する球検出器からの入賞信号であるかを識別する。入賞検出部４１は当該各入賞信号の検出に基いて賞球払出信号３１ａを球払出制御部３１に出力し、球払出制御部３１は球払出機構５０を制御する。これにより、球払出機構５０が賞球払出信号３１ａに対応する数の賞球としての換金性の有る球を払い出す。
【０００８】
パチンコ機１の制御の流れについて図３を参照しながら説明する。
始動入賞部品１４への球の入賞（以下、「始動入賞」と略す）があれば（ステップ１０１）、入賞検出部４１は抽選部４２に抽選を行わせる（ステップ１０２）とともに、図柄制御部３３に図柄変動開始指示信号３３ａを出力し、図柄制御部３３は図柄表示器１７を駆動して図柄変動を開始させる（ステップ１０３）。抽選部４２は入賞検出部４１が始動入賞検出信号２７ａを入力したタイミングに基いてカウンタ６３のカウンタ値を乱数値として取得し、取得した乱数値を当たり外れ知識４２ａに照合して、当たり外れ知識４２ａから乱数値に対応する当たりまたは外れを抽選結果として抽出し、その抽選結果をＲＡＭ等で構成された抽選結果情報格納部４９に記憶するとともに、抽選結果が当たりであれば（ステップ１０４）、抽選当たり識別部４８に当たりフラグ（１ビット情報としての例えば「１」）を設定する（ステップ１０５）。主制御部３０は割り込みにより例えば４ｍｓ毎に遊技制御プログラムを実行し、この割り込みのタイミングをカウンタ６３でカウントしており、入賞検出部４１が始動入賞検出信号２７ａを入力したときのカウンタ６３のカウンタ値を抽選部４２が入力して、抽選部４２がそのカウンタ値を、カウンタ値と図柄組合わせとが対応付けられた当たり外れ知識４２ａに照合して図柄の当たり外れ抽選が行われる。尚、入賞検出部４１は図柄制御部３３に図柄変動開始指示信号３３ａを出力するとともに遊技状態判定部４４の図柄変動識別部４７に図柄変動中フラグ（１ビット情報としての例えば「１」）を設定する。これにより、図柄制御部３３は図柄表示器１７の図柄を変動させた後に、抽選結果情報格納部４９から抽選結果を得て、その抽選結果を反映すべく図柄表示器１７の図柄変動を停止する（ステップ１０６）。遊技状態判定部４４は図柄制御部３３からの図柄停止確認信号３３ｂを入力して図柄変動中フラグを解除する。
抽選結果が外れの場合は、図柄制御部３３の制御により図柄表示器１７の停止表示図柄が当たり図柄以外となり、始動入賞に伴うそれ以降に続く一連の遊技に関する制御は終了する。これに対し、抽選結果が当たりの場合は図柄制御部３３の制御により図柄表示器１７の停止表示図柄が抽選結果に応じた当たり図柄に停止表示され、遊技状態判定部４４が図柄制御部３３からの図柄停止確認信号３３ｂを受けて当たり確定（ステップ１０７）を確認して図柄変動中フラグを解除するとともに、可変入賞部品開閉制御処理部６０に可変入賞部品１５の開閉体２６を開閉させる（ステップ１０８）。つまり、可変入賞部品１５の開閉体２６を所定回数または所定時間開閉する当たり遊技と呼ばれる一連の遊技が行われる。そして、遊技領域２１に発射された球が開閉体２６の開放中に可変入賞部品１５に入賞する（以下「可変入賞」と称す）、当該入賞した球を検出した可変入賞球検出器２８が入賞検出部４１に可変入賞検出信号２８Ａを出力し、入賞検出部４１が当該可変入賞検出信号２８Ａに基く賞球払出信号３１ａを球払出制御部３１に出力し、球払出制御部３１は球払出機構５０を制御する。これにより、球払出機構５０が始動入賞に対応する数の賞球としての換金性の有る球を上皿９あるいは下皿１０に払い出す（ステップ１０９）。尚、当たり遊技では、可変入賞部品１５内に入った球により特定の条件が満たされれば開閉体２６が閉じられた後に再び開くが、特定の条件が満たされなければ開閉体２６が閉じて当たり遊技を終了し、抽選当たり識別部４８に設定されている当たりフラグを解除する。特定の条件とは、例えば、普通入賞部１５Ｙ，１５Ｙの普通入賞球検出器２８ｂ，２８ｂに特定数（例えば１０個）の球が検出されるまでの間に特定入賞部１５Ｘの特定入賞球検出器２８ａが球を検出したという条件や、所定の時間内に特定入賞球検出器２８ａが球を検出したという条件などである。即ち、球が普通入賞部１５Ｙ，１５Ｙに特定数（例えば１０個）入賞するまでの間に特定入賞部１５Ｘへの入賞があったという条件や、所定の時間内に特定入賞部１５Ｘへの入賞があったという条件などの特定の条件を満たす度に開閉体２６は一旦閉じられる。この一旦閉じるまでの間をラウンドといい、特定の条件が成立すれば、ラウンドは所定回数までは継続する。従って、例えば最大ラウンド数が１６ラウンドであるとすれば、特定の条件が成立すれば、１６ラウンドまで継続し、１６ラウンドが終了すれば、当たりフラグが解除される。特定の条件が成立しなければ条件が成立しなかったラウンドでラウンド継続が終了し、当たりフラグが解除される。
【０００９】
一方、主制御部３０は、図４に示すような不正検出プログラムルーチンを実行する不正処理部６１を備える。不正検出プログラムルーチンは例えば４ｍｓ毎に主制御部３０で実行される遊技制御プログラムの割り込みサブルーチンである。
不正処理部６１は、▲１▼始動入賞がない（ステップ２０１でＮＯ）、▲２▼始動入賞検出から所定時間経過している（ステップ２０２でＮＯ）、▲３▼当たりフラグが設定されていない（ステップ２０３でＮＯ）、▲４▼当たり図柄停止でない（ステップ２０４でＮＯ）、という４条件のうちのいずれか１つの条件を満たしていると判定し、かつ、可変入賞球検出器２８からの可変入賞検出信号２８Ａがあったと判定すれば（ステップ２０５でＹＥＳ）、不正対策処理（ステップ２０６）を行う。
上記所定時間は、例えば、主制御部３０の入賞検出部４１が始動入賞を検出してから当たり図柄が停止するまでの時間−多少の余裕時間αである。タイマ群６２にはこの所定時間計測用のタイマが設けられ、入賞検出部４１が始動入賞を検出したときに入賞検出部４１により所定時間計測用のタイマがセットされ、所定時間が経過すると経過信号が遊技状態判定部４４に送られ、所定時間経過識別部７０に所定時間経過フラグ（１ビット情報としての例えば「１」）が設定される。尚、本実施形態１では、当たり図柄停止か否かを判定するステップ２０４を設けているので、上記所定時間を見るステップ２０２はなくてもよい。
不正処理部６１は、図４に示す不正検出プログラムルーチンのステップ２０５の判断でＹＥＳの場合は、不正行為が行われたと判断して、賞球許可信号／賞球停止信号出力部４５を介して賞球払出停止信号３１ｂを球払出制御部３１に送り、これにより球払出機構５０による払出駆動を停止させる。さらに不正処理部６１は報知手段を介して店に不正行為が行われた旨を報知する。例えば、パチンコ機１に設けられた警告ランプ８０等を点灯させたり、遊技店のホールコンピュータに不正である旨の情報を送信すること等による不正報知処理を行う。さらに不正処理部６１は発射許可信号／発射停止信号出力部４６を介して発射制御部３２に発射停止信号４６ｂを出力し、発射機構２３による発射駆動を停止させる。ここでは、始動入賞検出信号２７ａを無効にせず、入賞検出部４１に入力しているので、始動入賞検出信号２７ａを無効にする制御を行う必要がなく、制御を簡素化できる。
尚、不正処理部６１により不正を判断した場合に、その後の始動入賞部品１４への入賞を無効にして、当たり外れ抽選及び図柄変動を行わないようにしてもよい。例えば、始動入賞球検出器２７と入賞検出部４１との間に図外のトランジスタスイッチ等のゲートを設け、不正処理部６１により不正を判断した場合に、ゲートを開いて始動入賞検出信号２７ａが入賞検出部４１に入力されないようにすればよい。
【００１０】
実施形態１では、不正処理部６１が実行する図４のステップ２０１とステップ２０５の処理により、始動入賞がない場合の不正な可変入賞に対して不正対策処理を行うことができる。
また、ステップ２０２とステップ２０５の処理により、始動入賞が検出されてから所定時間経過後の不正な可変入賞に対して不正対策処理を行うことができる。
また、ステップ２０３とステップ２０５の処理により、当たりフラグが設定さされていない場合の不正な可変入賞に対して不正対策処理を行うことができる。
また、ステップ２０４とステップ２０５の処理により、抽選での当たりの後に当たり図柄の停止表示がなされるまでの間において行われる不正な可変入賞に対して不正対策処理を行うことができる。
即ち、不正処理部６１は、主制御部３０による可変入賞部品１５の開閉体２６の開閉処理が行われていない場合に可変入賞部品１５への球の入賞があれば不正対策処理を行う。ここで、主制御部３０による可変入賞部品１５の開閉体２６の開閉処理は、主制御部３０の入賞検出部４１が始動入賞を検出してから当たり外れ抽選を行うとともに図柄表示器１７の図柄を変動させ、抽選で当たりの場合に当たり図柄が図柄表示器１７により停止表示されたことを検出して可変入賞部品１５の開閉体２６の開閉を行う当たり遊技を終了するまでの処理であり、ステップ２０１〜２０４でのＹＥＳの判断は、主制御部３０による可変入賞部品１５の開閉体２６の開閉処理が行われていることを検出しており、可変入賞部品１５の開閉体２６の開閉処理が行われている場合には図３の制御フローの流れに従って可変入賞があれば入賞に基いて通常どおり球払出機構５０により賞球払出しが行われる。
そして、ステップ２０１〜２０４でのＮＯの判断は、主制御部３０による可変入賞部品１５の開閉体２６の開閉処理が行われていないことを検出しており、この場合にステップ２０５の判断で可変入賞があったと検出されれば、不正対策処理２０６を行うわけである。
従って、主制御部３０による可変入賞部品１５の開閉体２６の開閉処理が行われていない場合において遊技者が不正行為により可変入賞部品１５の開閉体２６を開放して賞球を得ようとする行為を防止できる。また、不正報知により店側に不正を知らせることができ、また、不正報知により店側に不正を知らせるとともに発射を停止することにより、二重に不正検出がされることになり、店側は不正が行われたことを確実に発見できる。
つまり、実施形態１のパチンコ機１では、主制御部３０の可変入賞部品開閉制御処理部６０により可変入賞部品１５の開閉体２６の開閉処理が行われていないのに主制御部３０の入賞検出部４１が可変入賞球検出器２８から検出信号を検出した場合には、主制御部３０の不正処理部６１が不正行為であると判断して、球払出機構５０による払出駆動を停止させるとともに、不正報知を行い、かつ、発射機構５０の発射駆動を停止させるものである。
【００１１】
実施形態２
図５は実施形態２のパチンコ機の遊技盤の正面図、図６はパチンコ機の制御ブロック図、図７はパチンコ機の制御の流れを示す図、図８は不正処理部による不正検出プログラムルーチンを示す図である。尚、図１〜図４と同一機能部分は同一符号を付して詳説を省略する。
実施形態２のパチンコ機は、図５に示すように、遊技盤１１の盤面１２のほぼ中央に、いわゆる羽根物，飛行機等と呼ばれる可変入賞部品１５０と、複数の始動入賞部品１４Ａ，１４Ｂと備える。この可変入賞部品１５０は、上方両側部に設けられた球取入れ部１５１に、左右横方向に開閉する一対の開閉体１５２，１５２を有し、球取入れ部１５１に連なる内部１５３には、特定入賞部１５４と普通入賞部１５５，１５５とを有する。可変入賞部品１５０の内部１５３は、仕切り板１５６により上路１５７と下路１５８とに区切られている。内部１５３に取込まれた球は上路１５７を介して奥側に取込まれた後に下路１５８に導かれ、特定入賞部１５４か普通入賞部１５５のいずれかに入賞する。
また、制御系としては、図６に示すように、主制御部３００は、入賞検出部４１０、賞球準備確認部４３、遊技状態判定部４４０、賞球許可信号／賞球停止信号出力部４５、発射許可信号／発射停止信号出力部４６、可変入賞部品開閉制御処理部６００、不正処理部６１０、タイマ群６２０等を備える。遊技状態判定部４４０は、所定時間経過識別部７００を備える。尚、本実施形態２及び後述する実施形態３では、抽選、図柄表示に関する構成は具備しない。図５及び後述する図９では図柄表示器１７０を図示しているが、これは後述する実施形態４において抽選が当たりの場合の当たりを表示するものであり、実施形態２，３においては抽選機能を備えないので、当たりを表示する図柄表示器１７０は不要である。
実施形態２のパチンコ機の制御の流れを図７を参照しながら説明する。始動入賞があれば（ステップ３０１）、始動入賞球検出器２７からの始動入賞検出信号２７ａが入賞検出部４１０で検出されることにより、可変入賞部品開閉制御処理部６００が可変入賞部品１５０の開閉体１５２，１５２を開閉する（ステップ３０２）。例えば、始動入賞部品１４Ａへの入賞があった場合は開閉体１５２を１回開閉し、始動入賞部品１４Ｂへの入賞があった場合は開閉体１５２を２回開閉する。このとき開閉体１５２が開く時間は例えば０．２秒程度と短く設定されている。即ち、始動入賞があることにより、可変入賞部品１５０の開閉体１５２を開閉する当たり遊技となる。そして、開閉体１５２が所定回数開閉され、この際の入賞に基く賞球払出しが行われる（ステップ３０３）。開閉体１５２が開いたときに内部１５３に取込まれた球が特定入賞球検出器２８ａで検出されて入賞すると（ステップ３０４）、可変入賞部品開閉制御処理部６００は、一旦開閉体１５２を閉じた後に、再び開閉体１５２を開閉してラウンドを継続する（ステップ３０５）。そして、開閉体１５２が所定回数開閉され、この際の入賞に基く賞球払出しが行われる（ステップ３０６）。
【００１２】
一方、主制御部３００は、図８に示すような不正検出プログラムルーチンを実行する不正処理部６１０を備える。不正検出プログラムルーチンは例えば４ｍｓ毎に主制御部３００で実行される遊技制御プログラムの割り込みサブルーチンである。
不正処理部６１０は、▲１▼始動入賞がない（ステップ４０１でＮＯ）、▲２▼始動入賞検出から所定時間経過している（ステップ４０２でＮＯ）、という２条件のうちのいずれか１つの条件を満たしていると判定し、かつ、可変入賞球検出器２８からの可変入賞検出信号２８Ａがあったと判定すれば（ステップ４０３でＹＥＳ）、実施形態１と同じ不正対策処理（ステップ４０４）を行う。
上記所定時間は、例えば、主制御部３００の入賞検出部４１０が始動入賞を検出してからこの始動入賞により可変入賞部品１５０の開閉体１５２，１５２が開閉されて最後に閉じるときに球を内部１５３に取込んだ場合にその球がいずれかの可変入賞球検出器２８ａ，２８ｂ，２８ｂに入賞するまでに要する時間＋多少の余裕時間αである。タイマ群６２０にはこの所定時間計測用のタイマが設けられ、入賞検出部４１０が始動入賞を検出したときに入賞検出部４１０により所定時間計測用のタイマがセットされ、所定時間が経過すると経過信号が遊技状態判定部４４０に送られ、所定時間経過識別部７００に所定時間経過フラグが設定される。
【００１３】
実施形態２では、不正処理部６１０が実行する図８のステップ４０１とステップ４０３の処理により、始動入賞がない場合の不正な可変入賞に対して不正対策処理を行うことができる。
また、ステップ４０２とステップ４０３の処理により、始動入賞が検出されてから所定時間経過後の不正な可変入賞に対して不正対策処理を行うことができる。
尚、実施形態２では、主制御部３００による可変入賞部品１５０の開閉体１５２の開閉処理は、主制御部３００が始動入賞部品１４Ａ，１４Ｂへの球の入賞を検出して可変入賞部品１５０の開閉体１５２の開閉を行う当たり遊技を終了するまでの処理であり、ステップ４０１〜４０２でのＹＥＳの判断は、主制御部３００による可変入賞部品１５０の開閉体１５２の開閉処理が行われていることを検出しており、可変入賞部品１５０の開閉体１５２の開閉処理が行われている場合には図７の制御フローの流れに従って可変入賞があればその可変入賞に基いて通常どおり球払出機構５０により賞球払出しが行われる。
そして、ステップ４０１，４０２でのＮＯの判断は、主制御部３００による可変入賞部品１５０の開閉体１５２の開閉処理が行われていないことを検出しており、この場合にステップ４０３の判断で可変入賞があったと検出されれば、不正対策処理４０４を行うわけである。
従って、いわゆる羽根物，飛行機等と呼ばれる可変入賞部品１５０を備えたパチンコ機において、実施形態１と同じように不正対策処理を行うことができる。
【００１４】
実施形態３
図９に示すように、左右横に開閉する一対の開閉体１６１，１６１を有するチューリップタイプの可変入賞部品１６０を複数備え、かつ、始動入賞部品１６２を備えたパチンコ機の場合にも本発明を適用できる。尚、２７は始動入賞球検出器、２８は可変入賞球検出器である。このパチンコ機の制御構成は基本的に図６と同じ構成により実現できる。このパチンコ機の制御の流れも基本的には図７と同じである。即ち、始動入賞があることにより、可変入賞部品１６０の開閉体１６１を数回開閉する当たり遊技となる。ただし、図７の可変入賞部品の開閉体開閉ステップ３０２での処理としては、例えば、すべての可変入賞部品１６０を一斉に数回だけ数秒の間開放したり、順々に数回だけ数秒の間開放するというような処理を行うことが可能である。そして、例えば、すべての可変入賞部品１６０を一斉に数回だけ数秒の間開放する場合には、いずれかの可変入賞部品１６０に入賞した場合に、すべての可変入賞部品１６０あるいはいくつかの可変入賞部品１６０の開閉体１６１を数回あるいは数十秒程度開放するラウンドを継続するようにしてもよい。また、例えば、すべての可変入賞部品１６０を順々に数回だけ数秒の間開放する場合は、この順々に開放させていくすべての可変入賞部品１６０に入賞した場合に、すべての可変入賞部品１６０あるいはいくつかの可変入賞部品１６０の開閉体１６１を数回あるいは数十秒程度開放するラウンドを継続するようにしてもよい。
一方、不正処理部が図８に示すような割り込みによる不正検出プログラムルーチンを実行することで、実施形態１，２と同様な効果が得られる。ただし、この場合、所定時間は、例えば、主制御部の入賞検出部が始動入賞を検出してからこの始動入賞により可変入賞部品１６０の開閉体１６１，１６１が開閉されて最後に閉じるまでに要する時間＋多少の余裕時間αとすればよい。
【００１５】
実施形態４
実施形態２及び実施形態３では、抽選、図柄表示に関する構成を備えない構成を説明したが、実施形態２，３の構成を備えたパチンコ機に抽選、図柄表示に関する構成を設けてもよい。この場合、制御系は、図２の構成と基本的に同じ構成となり、パチンコ機の制御の流れは、図１０のステップ５０１〜５０７に示すようになる。即ち、始動入賞があれば（ステップ５０１）、入賞検出部４１は抽選部４２に当たり外れ抽選を行わせ（ステップ５０２）、抽選結果が当たりであれば（ステップ５０３）、抽選当たり識別部４８に当たりフラグを設定し（ステップ５０４）、例えば図５，図９に示すセグメント表示器のような図柄表示器１７０に当たりを表示する（ステップ５０５）とともに、可変入賞部品開閉制御処理部６０に可変入賞部品１５０や可変入賞部品１６０の開閉体を開閉させる（ステップ５０６）。つまり、可変入賞部品の開閉体を所定回数または所定時間開閉する当たり遊技と呼ばれる一連の遊技が行われる。そして、球払出機構５０が可変入賞に対応する数の賞球としての換金性の有る球を上皿９あるいは下皿１０に払い出す（ステップ５０７）。尚、当たりを表示する図柄表示器としては、図１に示すような図柄表示器１７でもよいし、ランプ等でもよい。
そして、不正処理部は、図４の不正検出プログラムルーチンのステップ２０４を省いた不正検出プログラムルーチンを実行して不正対策処理を行う。これによれば、実施形態１と同じように、不正な可変入賞に対して不正対策処理を行うことができる。
実施形態４における、主制御部による可変入賞部品の開閉体の開閉処理は、制御装置が始動入賞部品への球の入賞を検出してから当たり外れ抽選を行って抽選で当たりの場合に可変入賞部品の開閉体の開閉を行う当たり遊技を終了するまでの処理であり、ステップ２０１〜２０３（図４参照）でのＹＥＳの判断は、主制御部による可変入賞部品の開閉体の開閉処理が行われていることを検出しており、可変入賞部品の開閉体の開閉処理が行われている場合には図１０の制御フローの流れに従って可変入賞があればその可変入賞に基いて通常どおり球払出機構５０により賞球払出しが行われる。
そして、ステップ２０１〜２０３（図４参照）でのＮＯの判断は、主制御部による可変入賞部品の開閉体の開閉処理が行われていないことを検出しており、この場合にステップ２０５（図４参照）の判断で可変入賞があったと検出されれば、不正対策処理を行うわけである。
従って、いわゆる羽根物，飛行機，チューリップタイプ等と呼ばれる可変入賞部品を備え、かつ、抽選機能を備えたパチンコ機において、実施形態１と同じように不正対策処理を行うことができる。
【００１６】
尚、各実施形態のパチンコ機では、不正検出後は不正対策処理により賞球を行わないので、特に、不正報知や発射停止処理を行わなくてもよい。例えば、遊技領域２１に発射された球が入賞口やアウト口１８０を経由して遊技機設置設備に回収されるようにすれば、不正検出後に不正を行った遊技者の操作により発射された球は全て店側に回収されるので、遊技者に不正行為による利益を与えることがない。また、遊技領域２１から入賞口に入賞した球は遊技機設置設備に回収することなく受皿に戻す構造であれば、遊技者の操作により発射された球のうち入賞球だけを遊技者に戻すので、遊技者に不正行為による利益を与えることはない。
【図面の簡単な説明】
【図１】本発明の実施形態１によるパチンコ機の正面図。
【図２】実施形態１によるパチンコ機の制御ブロック図。
【図３】実施形態１によるパチンコ機の制御の流れを示す図。
【図４】実施形態１によるパチンコ機の不正処理部による不正検出プログラムルーチンを示す図。
【図５】実施形態２によるパチンコ機の遊技盤を示す正面図。
【図６】実施形態２によるパチンコ機の制御ブロック図。
【図７】実施形態２によるパチンコ機の制御の流れを示す図。
【図８】実施形態２によるパチンコ機の不正処理部による不正検出プログラムルーチンを示す図。
【図９】実施形態３によるパチンコ機の遊技盤を示す正面図。
【図１０】実施形態４によるパチンコ機の制御の流れを示す図。
【符号の説明】
１　パチンコ機、１４　始動入賞部品、１５　可変入賞部品、
１７　図柄表示器、２３　発射機構、２６　開閉体、
３０　主制御部（制御装置）、３１　球払出制御部、５０　球払出機構、
６１　不正処理部。
【図１】
2004105709.tif 000003
【図２】
2004105709.tif 000004
【図３】
2004105709.tif 000005
【図４】
2004105709.tif 000006
【図５】
2004105709.tif 000007
【図６】
2004105709.tif 000008
【図７】
2004105709.tif 000009
【図８】
2004105709.tif 000010
【図９】
2004105709.tif 000011
【図１０】
2004105709.tif 000012